(57)【要約】【課題】スプールのサミング操作を行いつつ、クラッチ操作や駆動モータの巻き取り操作が容易に行える魚釣用電動リールを提供する．【解決手段】本発明に係る魚釣用電動リールは、釣糸が巻回されるスプール７と、リール本体５に設けられ、スプールを回転駆動する駆動モータ８と、駆動モータ８の出力を調整する操作部材３０と、スプール７を、釣糸巻き取り状態からフリー回転状態に切り換え操作するクラッチＯＦＦ切換部材１８と、スプール７を、フリー回転状態から釣糸巻き取り状態に切り換え操作するクラッチＯＮ切換部材１９とを有する。そして、操作部材３０の操作部３０ａ、及びクラッチＯＮ切換部材１９の操作部１９ａは、スプールをサミング操作している状態の指で操作可能な位置に配置されている。【選択図】図５
2013013370.tif 000002
【特許請求の範囲】
【請求項１】
リール本体の左右側板間に設けられ、釣糸が巻回されるスプールと、
前記リール本体に設けられ、スプールを回転駆動する駆動モータと、
前記駆動モータの出力を調整する操作部材と、
前記スプールを、釣糸巻き取り状態からフリー回転状態に切り換え操作するクラッチＯＦＦ切換部材と、
前記スプールを、フリー回転状態から釣糸巻き取り状態に切り換え操作するクラッチＯＮ切換部材と、
を有する魚釣用電動リールにおいて、
前記操作部材の操作部、及びクラッチＯＮ切換部材の操作部は、前記スプールをサミング操作している状態の指で操作可能な位置に配置されていることを特徴とする魚釣用電動リール。
【請求項２】
前記クラッチＯＦＦ切換部材の操作部は、前記スプールをサミング操作している状態の指で操作可能な位置に配置されていることを特徴とする請求項１に記載の魚釣用電動リール。
【請求項３】
前記操作部材の操作部、及びクラッチＯＮ切換部材の操作部は、前記スプールの上方に配置されていることを特徴とする請求項１又は２に記載の魚釣用電動リール。
【請求項４】
前記操作部材、クラッチＯＮ切換部材、及びクラッチＯＦＦ切換部材は、それぞれの操作部が、前記リール本体を側面視した際に前方から順に配置されていることを特徴とする請求項１から３のいずれか１項に記載の魚釣用電動リール。
【請求項５】
前記操作部材の操作部と、前記クラッチＯＮ切換部材の操作部は、サミング操作している状態の指で同時に触れることが可能な配置関係となっていることを特徴とする請求項１から４のいずれか１項に記載の魚釣用電動リール。
【発明の詳細な説明】
【技術分野】
【０００１】
本発明は、魚釣用電動リールに関する。
【背景技術】
【０００２】
従来、魚釣用電動リールは、主に深場の釣りに適用させるべく、仕掛けの放出から巻き取りに至るまで、釣竿を船縁に装着された竿掛けに置いたままの状態で行えるように構成されたものが多いが、最近では、手持ち状態で操作が行えるように工夫されたものが知られている。
【０００３】
例えば、魚釣用電動リールのスプールを巻き取り操作する（モータ出力を連続的に可変操作する）ための操作部材を、様々な位置に配置することが知られている。例えば、特許文献１には、回転式の操作部材をリール本体の後方の左右側板間に前後方向に回転可能に支持したもの、或いは、スライド式の操作部材をカウンターケースの後方に左右方向に移動可能に支持したものが開示されている。また、特許文献２には、制御ケースの上面から円板状の回転摘み（操作部材）の一部を露出させ、上方から親指を押し付けながら回転操作することで、モータ出力を連続的に可変させる構成が開示されている。
【先行技術文献】
【特許文献】
【０００４】
【特許文献１】特開２００１−１６９７００号
【特許文献２】特開２００３−９２９５９号
【発明の概要】
【発明が解決しようとする課題】
【０００５】
上記したように、最近の魚釣用電動リールでは、ルアーフィッシングに用いられる魚釣用（ベイトキャスティング）リールと同様、手持ち状態で操作することが可能なタイプも望まれているが、従来のモータ出力を調整する操作部材の配置を工夫した魚釣用電動リールでは、操作性の面でさらに改良すべき余地がある。具体的には、単なる仕掛けの上げ下ろしのスピーディさは勿論のこと、特に、トラブルなく魚のいる棚（例えば、海底から５〜１５ｍ）に、精度良く狙ったスピードで落下、停止できることが望ましく、そのような操作を行うためには、スプールの回転が一瞬でも制御できなくなるのは好ましくない。
【０００６】
すなわち、通常、スプールに対しては、リール本体を把持している側の手の親指でサミング操作をしてスプール回転を制御する操作が行われるが、サミング操作しながらクラッチＯＦＦ操作すると、クラッチＯＦＦ操作部材に指をシフトした際、サミング状態が解除されてスプールが釣糸放出方向に過回転してバックラッシュするおそれがある。また、仕掛けを上記した棚に正確に停止するには、サミング操作しながらクラッチＯＮ操作する必要があるが、クラッチＯＮ操作部材に指をシフトした際、サミング状態が解除されてスプールが釣糸放出方向に過回転して、狙いの棚に停止できなくなる可能性がある。そして、このようなケースでは、棚取りの修正や外道（対象魚以外の魚）に先にエサを食われてエサがなくなる等、大事な機会を逃すことになる。
【０００７】
また、従来の構成では、クラッチＯＮ状態でモータ出力操作部材に指をかけながらサミング操作をしつつ魚信をとり、魚信があったときにそのまま巻き取り操作を行う、という操作を考慮したものではなかった。
【０００８】
本発明は、上記した問題に着目してなされたものであり、スプールのサミング操作を行いつつ、クラッチ操作や駆動モータの巻き取り操作が容易に行える魚釣用電動リールを提供することを目的とする。
【課題を解決するための手段】
【０００９】
上記した目的を達成するために、本発明に係る魚釣用電動リールは、リール本体の左右側板間に設けられ、釣糸が巻回されるスプールと、前記リール本体に設けられ、スプールを回転駆動する駆動モータと、前記駆動モータの出力を調整する操作部材と、前記スプールを、釣糸巻き取り状態からフリー回転状態に切り換え操作するクラッチＯＦＦ切換部材と、前記スプールを、フリー回転状態から釣糸巻き取り状態に切り換え操作するクラッチＯＮ切換部材と、を有しており、前記操作部材の操作部、及びクラッチＯＮ切換部材の操作部は、前記スプールをサミング操作している状態の指で操作可能な位置に配置されていることを特徴とする。
【００１０】
上記した構成の魚釣用電動リールでは、クラッチＯＮ切換部材は、その操作部がスプールをサミングした状態で操作することが可能であるため、仕掛けを放出している状態（クラッチＯＦＦで仕掛けが落下している状態）において、クラッチをＯＮするまではサミング操作して釣糸の放出状態を調整することができ、狙った棚に意図したスピードで落下させ、かつ停止することが可能となる。また、クラッチＯＮ状態でサミング操作をすると魚信が感知し易いが、上記のように、モータの出力を調整する操作部材の操作部に指を当接させながら魚信を待つことが可能であるため、魚信があった場合、直ちに巻き取り操作が行えるようになる。特に、シャクリ操作において、釣竿を上げた際の魚信の感知と、そのままの（合せを兼ねた）巻き取り操作がスムーズに行えるようになる。
【発明の効果】
【００１１】
本発明によれば、スプールのサミング操作を行いつつ、クラッチ操作や駆動モータの巻き取り操作が容易に行える魚釣用電動リールが得られる。
【図面の簡単な説明】
【００１２】
【図１】本発明の第１の実施形態に係る魚釣用電動リールの平面図。
【図２】図１に示した魚釣用電動リールを後方側から見た後面図。
【図３】内部機構が部分的に示される図１に示す魚釣用電動リールの平面図。
【図４】図１に示した魚釣用電動リールの内部駆動機構を側方から見た概略図。
【図５】図１のＡ−Ａ線に沿う断面図。
【図６】（ａ）〜（ｉ）を含み、仕掛けを放出した後の一般的な操作を順に説明する図。
【図７】クラッチＯＮ状態を示す図。
【図８】図７に示すクラッチＯＮ状態からクラッチＯＦＦ状態に切換える動作を示す図。
【図９】クラッチＯＦＦ状態でサミング操作している状態を示す図。
【図１０】クラッチＯＦＦ状態において、サミング操作しながら、クラッチＯＮ切換部材に指を当接した状態を示す図。
【図１１】図１０に示すクラッチＯＦＦ状態からクラッチＯＮ状態に切換える動作を示す図。
【図１２】クラッチＯＮ状態でサミング操作しながら、操作部材に指を当接した状態を示す図。
【図１３】サミング操作することなく、操作部材を操作する動作を示す図。
【図１４】サミング操作することなく、上方側から指を当接して操作部材を操作する動作を示す図。
【図１５】サミング操作しながら操作部材を操作する動作を示す図。
【図１６】サミング操作しながらクラッチＯＦＦ状態にして仕掛けの落下速度を調整する動作を示す図。
【図１７】図１４に示す状態の平面図。
【図１８】図１１に示す状態の平面図。
【図１９】指でクラッチＯＮ切換部材と操作部材を同時に触れた状態を示す平面図。
【図２０】本発明の第２の実施形態に係る魚釣用電動リールの平面図。
【図２１】図２０のＢ−Ｂ線に沿った断面図。
【図２２】図２１に示した魚釣用電動リールの内部駆動機構を側方から見た概略図。
【図２３】図２２を矢印方向から見た図であり、（ａ）は、クラッチＯＮ切換部材の概略図、（ｂ）は、クラッチＯＮ切換部材を押圧操作したときの状態を示す図。
【図２４】クラッチＯＮ切換部材を押圧操作したときの状態を示す平面図。
【図２５】サミング操作しながら、クラッチＯＮ切換部材に指を当接し、クラッチＯＦＦ状態からクラッチＯＮ状態に切換える動作を示す図。
【図２６】本発明の第３の実施形態に係る魚釣用電動リールの平面図。
【図２７】図２６に示した魚釣用電動リールを後方側から見た後面図。
【図２８】図２６に示した魚釣用電動リールの内部駆動機構を側方から見た概略図。
【図２９】図２８に示したソレノイドの動作を示す図であり、（ａ）はクラッチＯＦＦの状態を示す図、（ｂ）は、クラッチＯＮ切換部材を押圧操作したときの状態を示す図、（ｃ）は、クラッチＯＮの状態を示す図。
【図３０】指でクラッチＯＮ切換部材と操作部材を同時に触れた状態を示す平面図。
【図３１】サミング操作しながら、クラッチＯＮ切換部材に指を当接し、クラッチＯＦＦ状態からクラッチＯＮ状態に切換える動作を示す図。
【発明を実施するための形態】
【００１３】
以下、図面を参照しながら、本発明に係る魚釣用電動リールの実施形態について説明する。  
図１から図５は本発明の第１の実施形態を示す図であり、図１は平面図、図２は図１に示した魚釣用電動リールを後方側から見た後面図、図３は内部機構を部分的に示した平面図、図４は内部駆動機構を側方から見た概略図、そして、図５は図１のＡ−Ａ線に沿う断面図である。  
なお、以下の説明において、前後方向、左右方向、上下方向は、図１及び図２に記載の方向と定義する。
【００１４】
図１に示すように、本実施形態に係る魚釣用電動リール１は、左右のフレーム３ａ，３ｂに左右カバー４ａ，４ｂを取着して構成される左右側板５Ａ，５Ｂを具備したリール本体５を有している。リール本体５を構成する一方の側板（右側板５Ｂ）側には、巻取り操作される手動ハンドル６が設けられており、左右側板５Ａ，５Ｂ間には、釣糸が巻回されるスプール７がスプール軸７ａ（図５参照）を中心に回転可能に支持されている。また、本実施形態では、図３から図５に示すように、スプール７の前方側における左右側板５Ａ，５Ｂ間に駆動モータ８を保持しており、スプール７は、手動ハンドル６の巻取り操作および駆動モータ８の回転駆動によって、動力伝達機構１０を介して釣糸巻取り方向に回転駆動される。
【００１５】
なお、駆動モータ８については、スプール７の内部に設置する構成であっても良いが、本実施形態のように、スプール７の前方に設置することで、スプール７の糸巻き量を確保しつつ、リール本体５を可及的にコンパクト化することが可能となる。また、動力伝達機構１０については、駆動モータ８の回転駆動力を減速してスプール７側に伝達する機能（減速機構１０２および伝達ベルト１０１（図３参照）などによって果たされる）、駆動モータ８が回転駆動しても手動ハンドル６を連れ回しさせない機能や手動ハンドル６の逆回転を防止する機能（ラチェット１０４を含む）などを備えた公知のものによって構成することが可能である。また、そのような動力伝達機構１０については、左側板５Ａ側に配設されていても良いし、右側板５Ｂ側に配設されていても良く、或いは、左右側板それぞれに振り分けて配設されていても良い。なお、図中（特に図３）、符号１１６は、ハンドル６に結合されたハンドル軸、符号１１８は、ハンドル軸１１６に回転可能に支持されたドライブギヤ、符号１２０は、ドライブギヤ１１８に噛合するピニオンであり、これらは前述した動力伝達機構１０を構成する。また、図中、符号１２５は、魚釣時にスプール７から釣糸が繰り出された際にスプール７の回転にドラグ力を付与する公知のドラグ機構であり、リール本体５とハンドル６との間には、ドラグ機構１２５によるドラグ力の調整を行なうための星型のドラグ調整ノブ（スタードラグ）１３９が設けられている。
【００１６】
また、スプール７の前方の左右側板５Ａ，５Ｂ間には、スプール７に対して均等に釣糸を巻回する機能を備えた公知のレベルワインド機構１４２（図４および図５参照）が設置されている。さらに、リール本体５を構成する左右側板５Ａ，５Ｂ間のスプール７の上方には、駆動モータ８を制御する制御部１００（制御基板１００Ａ，１００Ｂを有する）を収容した箱型の制御ケース１５が配設されている。本実施形態の制御ケース１５は、リール本体を構成する左右側板５Ａ，５Ｂの表面と面一状になるように構成されており、前後方向の長さ寸法が左右方向の長さ寸法よりも長く設定されている。
【００１７】
また、リール本体５内には、前記ピニオン１２０を軸方向に移動させてスプール７を釣糸巻き取り状態／フリー回転状態に切り換える公知のクラッチ機構１７（図３及び図４参照）が配設されている。このクラッチ機構１７は、動力伝達機構１０に介在されて手動ハンドル６および駆動モータ８からの動力伝達を継脱する機能を備えており、本実施形態では、右側板５Ｂ側に設置されている。
【００１８】
前記クラッチ機構１７は、前記右フレーム３ｂに回動可能に支持された公知のクラッチプレート１７ａを備えており、このクラッチプレート１７ａには、動力伝達をＯＮ状態からＯＦＦ状態に切り換える（スプールを釣糸巻き取り状態からフリー回転状態に切り換える）クラッチＯＦＦ切換部材１８が係合している。本実施形態におけるクラッチＯＦＦ切換部材１８は、スプール７をサミングしながら操作が可能となる位置、具体的には、スプール７の後方側の左右側板５Ａ，５Ｂ間に橋設された構成となっており、図５に示す状態から、その表面となる操作部（クラッチＯＦＦ部）１８ａに親指を載置して下方に押し下げ操作することで、クラッチ機構１７をＯＮ状態からＯＦＦ状態に切り換えるよう構成されている。すなわち、クラッチＯＦＦ切換部材１８は、図１５に示すように、クラッチＯＮ状態において、リール本体を把持している状態の手の指（親指Ｔ）でスプール７をサミングし、かつ操作部１８ａに載置してクラッチＯＦＦ操作ができるように配置されている。この場合、クラッチＯＦＦ切換部材１８は、クラッチプレート１７ａと右フレーム３ａとの間に設けられた振り分け保持バネ２００によって、クラッチＯＮ位置（図７参照）とクラッチＯＦＦ位置（図８参照）との間で振り分け保持される。換言すれば、クラッチＯＦＦ切換部材１８の押圧操作によって、前記クラッチプレート１７ａは、クラッチＯＮ位置とクラッチＯＦＦ位置との間で回動し、各々の位置で振り分け保持バネ２００によって振り分け保持される。公知のように、クラッチプレート１７ａがクラッチＯＦＦ位置に回動されると、その表面に形成された一対のカム１７ｂが前記ピニオン１２０に係合しているアーム部材１７ｃを軸方向に移動させ、これによりピニオン１２０とスプール軸７ａとの動力伝達状態を解除する（クラッチＯＦＦ状態）。
【００１９】
また、動力伝達をＯＦＦ状態からＯＮ状態に切り換える（スプールをフリー回転状態から釣糸巻き取り状態に切り換える）クラッチＯＮ切換部材１９は、上記クラッチプレート１７ａをクラッチＯＦＦ位置からクラッチＯＮ位置に回動させるように機能する。このクラッチＯＮ切換部材１９は、その操作部（クラッチＯＮ部）１９ａが、スプール７をサミングしている指（親指）が届く位置、すなわち、親指の腹部でスプールの表面を押し当てている状態のまま、それ以外の部位で操作ができるように構成されていれば良く、本実施形態では、スプール７の上方で左フレーム３ａの内面から突出するとともに、その内面に沿って移動可能に配設されている。具体的に、操作部１９ａは、図１に示すように、制御ケース１５の後端１５ａの左側板側において、左フレーム３ａから内側に向けて突出するように配設されており、この操作部１９ａは、前記クラッチＯＦＦ切換部材１８と一体的に連動するように構成されている。すなわち、クラッチＯＮ切換部材１９は、左フレーム３ａに配設され、スプール７のフランジ７ｂの径方向外側で円弧状に移動可能な連結部１９ｂを備えており、この連結部１９ｂには、その一端側に前記操作部１９ａが、他端側に前記クラッチＯＦＦ切換部材１８の左側板側の端部が一体的に連結されている。
【００２０】
このため、図５の矢印Ｄ３で示すように、前記クラッチＯＦＦ切換部材１８の操作部１８ａを押圧操作すると、前記クラッチＯＮ切換部材１９の操作部１９ａは、矢印Ｄ４で示すように、円弧状に移動する連結部１９ｂとともに、スプール７のフランジ７ｂに沿うように円弧状に移動する（図７及び図８参照）。そして、クラッチＯＦＦで切り換え保持される位置は、図１０に示すように、側面視した際、クラッチＯＦＦ切換部材１８の操作部１８ａに親指Ｔの根元側腹部を載置して中間腹部でスプール７をサミングでき、かつ、先端部で、クラッチＯＮ切換部材１９の操作部１９ａに当接できる位置に設定されている。
【００２１】
前記クラッチＯＮ操作部材１９の操作部１９ａの形状については、特に限定されることはないが、ブロック状でクラッチＯＦＦ切換部材１８側に面する領域に凹所１９ｃを形成しておくことが好ましい。これにより、凹所１９ｃ内に指先を安定して押し付けることができ、そのままクラッチＯＮ位置に向けて回動操作し易くなる（図１１参照）。なお、クラッチＯＮ位置に向けて回動操作する際、前記振り分け保持バネ２００のデッドポイントを超えると、操作部１９ａは、図５及び図７で示す位置に振り分け保持される。
【００２２】
前記リール本体５には、駆動モータ８に対して電力を供給するための給電部２０が設けられている。この給電部２０は、左側板５Ａの前方側の下面領域に形成されており、この給電部２０に対しては、着脱可能な携帯バッテリ（図示せず）を装着したり、或いは、足元に置いたバッテリや釣り船に設置されている電源部から電力供給される給電コードが装着される。
【００２３】
前記制御ケース１５は、図５に示すように、スプール７の上方で、その支軸（この支軸としては、本実施形態ではスプール７の外側に駆動モータ８が配置されているためスプール軸７ａが該当するが、スプール７の内部に駆動モータ８が配置される別の形態ではスプール軸７ａが存在しないためモータ８の回転軸が該当する）近傍からレベルワインド機構１４２および駆動モータ８を覆うような大きさを備えている。
【００２４】
また、制御ケース１５の後方部分には、駆動モータ８の出力を調整するモータ出力操作部材３０（以下、単に操作部材と称する）が配置されている。本実施形態の操作部材３０は、スプール７（スプール軸７ａ）の上方で制御ケース１５の中央部分（左右側板５Ａ，５Ｂの間の中心領域）に設置され、制御ケース１５の後方に回転可能に支持された支軸（回転支軸）３１に設けられている。具体的には、制御ケース１５の後方側には、その中央領域に、制御ケース１５の後端１５ａから前方側に向かって延び、制御ケース１５の後端で開口した凹陥部（開放部）１５Ａが設けられており、この凹陥部１５Ａを横切るようにして前記支軸３１が回転可能に支持されている。前記支軸３１は、前記スプール７の支軸（スプール軸７ａ）の上方側において、略平行でその両側が制御ケース１５に対して回転可能に支持された状態となっており、操作部材３０は、支軸３１の中央部において、凹陥部１５Ａ内に納まるように設置されている。なお、制御ケース後方の中央領域（左右側板間の中心領域）に設置される操作部材３０の軸方向長さについては、親指の幅程度（８〜２５ｍｍ）あれば良い。
【００２５】
前記操作部材３０は、下側から回転操作（スプールをサミングしている親指を伸ばして押し上げるような回転操作；図１５参照）することが可能であり、かつ、上方からリール本体を押さえ付けた状態でも操作性が良好となるように（図１４参照）、略円筒形状に構成されており、その両端が前記支軸３１によって、制御ケース１５に対して回転可能に両軸支持された状態となっている。具体的には、その外表面（回転表面となる操作部３０ａ）が、左右側板間で、スプール７を露出させる開口領域に面するように支持されており、リール本体を把持保持した状態で、実際に操作する方向は、略前後方向Ｄ１となる成分、及び略上下方向Ｄ２となる成分を含むように支持されている（図１及び図２参照）。
【００２６】
このため、凹陥部１５Ａに収容されるように設置された略円筒形状の操作部材３０に対しては、スプール７上のどの位置でサミング操作していても、その指（親指Ｔ）を、支障なくスムーズに操作部３０ａに当て付けることができると共に、制御ケース１５の表面に載置していても操作部３０ａに当て付けることができ、容易に回転操作（モータの出力調整操作）することが可能となる。また、操作部３０ａが左右側板５Ａ，５Ｂの中央領域に位置することで、リール本体５の重心に対する把持位置のバランスが良くなり、操作性が良く、疲れ難い構成とすることが可能となり、右手、左手のどちらの手で把持しても共通の感覚が得られるようになる。
【００２７】
なお、本実施形態では、図１９に示すように、サミングしている状態の親指Ｔで、操作部３０ａと前記クラッチＯＮ切換部材１９の操作部１９ａを同時に触れることができるような配置関係となっている。また、本実施形態では、前記操作部材３０、前記クラッチＯＮ切換部材１９、及び前記クラッチＯＦＦ切換部材１８は、それぞれの操作部３０ａ，１９ａ，１８ａがリール本体を側面視した際に前方から順に配置された状態になっている。
【００２８】
前記操作部材３０の略円筒形状とは、内部が中実であっても良いし、全体或いは部分的に空洞部があるものを含む概念である。また、その外形状については、正確な円筒形状は勿論、周囲に凹凸が形成されていたり、指でつまんだり、当て付けることが可能な突起部が形成されたものであっても良い。或いは、軸方向の中間部分が膨出していたり、窪んでいるなど、軸方向に親指の腹部が当接できて回転操作ができるような外形状を備えたものであっても良い。また、略円筒形状に構成された操作部材３０については、その操作部３０ａが制御ケース１５の表面から部分的に突出していても良いし、制御ケース（リール本体）との間で、少なくとも一端側の回転表面が略面一状にされていても良い。
【００２９】
また、前記制御ケース１５に、操作部材３０とスプール７との間で、操作部３０ａの下方を覆うように、保護カバー（誤動作防止部材）１５ｂを設けておくことが好ましい。このような保護カバー１５ｂを設けておくことで、釣糸を巻き取り操作する際、釣糸に付着したゴミや海水が操作部３０ａに当たることを防止して、誤動作が生じることを防止することが可能となる。この場合、保護カバー１５ｂは、制御ケースと一体部品であっても良いし、金属の薄板材などを制御ケースに接合しても良い。
【００３０】
前記支軸３１には、操作部材３０の操作角度を検知する検知手段、具体的には、支軸の右端部に角度センサ１３０が設置されている（設置位置は任意である）。この角度センサ１３０は、制御ケース１５内に設けられた収容部１３３にシールされた状態で組み込まれており、支軸３１の回転位置に応じた操作位置信号を出力する。すなわち、角度センサ１３０は、操作部材３０の操作位置に応じて操作信号を出力し、駆動モータ８の出力は、操作部材３０の操作位置に応じて調整することが可能となっている。
【００３１】
なお、上記したように、前記支軸３１は、前記スプール７の支軸（スプール軸７ａ）と略平行となるように回転可能に支持されているため、前記操作部材３０は、略前後方向（釣竿の方向；矢印Ｄ１に示す方向）に変位できるようになっている。また、操作部材３０は、リール本体を把持した状態で操作することから、操作部材３０に親指Ｔを当接させた際、親指の位置が大きく横にずれることがなく、リール本体の重心や給電部２０にかかる力（給電コードに引っ張られる力や携帯バッテリの重量負荷などで、釣竿の長手軸を中心に回転負荷による力）によるねじれ負荷に対し、操作性が低下したり疲れ易くなることがなくなる。この場合、操作部材３０を回転させた際の指（親指Ｔ）の位置の横方向のずれを考慮すると、上記した略平行の範囲については、スプール７の支軸に対して±３０°の範囲内であれば良い。すなわち、±３０°の範囲内であれば、リール本体５を把持保持した状態で、操作部材３０を自由に回転しても、指（親指Ｔ）の位置が横方向にずれ難くなり、リール本体を把持保持した際のバランスが悪くなることがなくなる。
【００３２】
また、本実施形態のリール本体５は、釣竿とともに片手で把持して操作可能な大きさに構成されており、上記したような回転可能な操作部材３０は、リール本体５を、竿取付部５ａを介して釣竿に装着した際に、釣竿とともにリール本体５を把持保持した状態の手の親指Ｔが届く位置に配設されている（図１７参照）。
【００３３】
上記した制御ケース１５には、図５に示すように、駆動モータ８の駆動を制御する制御部１００が収容されており、操作部材３０の回転操作量に応じて駆動モータ８の出力を調整するようになっている。この場合、制御部１００は、操作部材３０を前方に向けて回動操作することで、駆動モータ８の出力が上昇するように設定されている。これにより、釣糸の巻き取りをする際、サミングしている親指Ｔをそのまま前方に延ばして、操作部材３０を押し上げるような操作をすることで釣糸の巻き取り操作が行えるようになり、指の動きが単純化され、一連の探り操作をする際の操作性の向上が図れるようになる。
【００３４】
前記操作部材３０の回転操作量と駆動モータ８の出力との関係については任意である。本実施形態では、操作部材３０が、ある位置を基準位置としてモータの出力値０とし、そこから前方に回転操作した際、モータ出力が増速するように設定されている。すなわち、前方方向に向けて操作した際に増速とすることで、釣竿とリール本体を持つ手に負荷がかかる高速巻き取り時に、より前方を把持できるので、把持保持性が高くなり、操作性が良く、疲れ難くなる（操作回転角度については特に限定されないが、１２０°程度あれば良い）。
【００３５】
なお、操作部材３０については、後方に向けて回転操作した際に、駆動モータ８の出力が上昇するように設定しても良い。このような構成によれば、スプール７をサミングしている親指の第一関節を折り曲げる動作をするだけで、サミング操作をＯＮからＯＦＦにすると同時に、操作部材３０を手前側に回転操作（駆動モータの増速回転）することができ操作性の良い構成となる。
【００３６】
前記制御ケース１５の表面には、繰り出された釣糸の長さ（糸長情報）などを表示する表示部（液晶表示部）１６が設けられており、また、その周囲には、各種の情報が設定可能な複数の操作ボタン１６ａ，１６ｂが配設されている。なお、本実施形態において、操作ボタン１６ａ，１６ｂは、図１に示されるように、制御ケース１５の上面において、表示部１６と操作部材３０との間で、且つ釣竿とともにリール本体５を把持保持した状態で親指が届く位置とされている。
【００３７】
前記制御ケース１５に収容される制御部１００は、魚釣用電動リールの動作を制御するＣＰＵ（Central Processing Unit）等を実装した制御基板（マイクロコンピュータ）１００Ａ、及び各種駆動回路を実装した回路基板１００Ｂを備えており、これらは、省スペース化のため、表示部１６の下方で上下方向に重なるように配置されている。すなわち、前記制御基板１００Ａは、操作部材３０の支軸３１の操作角度に応じて操作位置信号を出力する前記角度センサ１３０、スプール７に巻回されている釣糸の繰り出し量を検知することが可能な糸長計測装置、制御ケース１５上に設けられた液晶表示部１６に対して各種の情報を表示させる表示制御回路、制御ケース１５上に設けられた操作ボタン１６ａ，１６ｂ、及び駆動モータ８の出力を停止状態から高出力値まで連続的に増減調整するモータ駆動回路との間で信号の送受信を行い、魚釣用電動リールの動作を制御する。
【００３８】
次に、上記した構成の魚釣用電動リールを用いて、実際に船釣りをする際の動作（コマセ釣りを例にして説明する）について図６、及び図７から図１９を参照して説明する。なお、以下に例示する一連の魚釣り操作は、釣竿とともにリール本体を把持した手持ち状態で行うことが可能である。
【００３９】
最初、釣竿とともにリール本体５を把持している手の親指Ｔで、スプール後方側に配設されているクラッチＯＦＦ切換部材１８の操作部１８ａを押し下げ操作することで、クラッチ機構をＯＮ状態からＯＦＦ状態に切り換える（図７，図８参照）。クラッチ機構をＯＮ状態からＯＦＦ状態に切り換えると、スプール７はフリー回転状態となり、仕掛けは、図６（ａ）から（ｂ）に示すように落下する。このとき、クラッチＯＮ切換部材１９は、連結部１９ｂとともに、スプール７のフランジ７ｂに沿うように円弧状に移動し、その操作部１９ａは、スプール７をサミングしている状態で押圧できる位置に停止する（図８から図１０参照）。また、仕掛けが落下して着底（所定の棚に到達）するまでは、バックラッシュが生じ易いものの、リール本体５を把持している親指Ｔを、そのままクラッチＯＦＦ切換部材１８の操作部１８ａから釣糸表面に延ばしてサミングすることで、バックラッシュを防止することが容易に行える（図９参照）。
【００４０】
この場合、図１０に示すように、操作部１８ａに親指を載置した状態でサミング操作できるため、クラッチＯＦＦに切り換え操作した一瞬に釣糸Ｓが落下して棚が狂ってしまうようなこともない。また、仕掛けを投入する際、サミングしながらクラッチＯＦＦできるので、操作部１８ａに指を掛けた瞬間に釣糸Ｓが急速に出てバックラッシュすることもない。さらに、特定の棚で魚信を待っているときにおいても、直ぐに、意図する棚へ意図するスピードで仕掛けを落下することができる。なお、サミングは、図１０に示すように、スプールに巻回された釣糸Ｓに、直接、親指の腹部を押し当てても良いし、指の側部でスプールのフランジに接触させても良い。
【００４１】
仕掛けが着底したり、所定の棚まで落下した際（通常、糸巻量は、ほぼ半分程度となるように設定されている）、サミングしている状態の親指をそのまま前方に伸ばして、クラッチＯＮ切換部材１９の操作部１９ａを押し上げるように操作することで、容易にクラッチＯＮに切り換えることが可能となる（図６（ｃ）及び図１０，図１１参照）。このとき、サミングしたままの状態でクラッチＯＮ操作が行えるため、サミングが離れて釣糸Ｓがずり落ちるようなこと（棚が狂ってしまうこと）はない。
【００４２】
また、本実施形態では、スプール７のフランジ側にクラッチＯＮ切換部材１９の操作部１９ａを配置しているため、特に、糸巻量が少ない状態の場合、図１８に示すように、フランジ７ｂを直接サミングした状態からクラッチＯＮ操作が行い易くなる。さらに、本実施形態では、図１９に示すように、操作部１９ａは、サミングしている状態の親指Ｔで、操作部材３０の操作部３０ａと同時に触れることができるため、両者の間でスムーズな移行操作ができ、特に、暗い状態での操作や、クラッチをＯＮして直ちに魚信があった場合など、迅速に巻き取り操作に移行することが可能となる。
【００４３】
仕掛けが所定の棚（魚がいる下層域）まで落下した後、図６（ｄ）に示すように、釣竿を上下に振ってコマセ振りを行う。このとき、図１２に示すように、親指Ｔをサミングした状態で魚信感知することが可能となり、魚信感知しながら次のアクション（探り操作、巻き取り操作、アオリ操作など）を待機することができる。なお、図１２で示すサミングした状態での魚の魚信は、クラッチＯＮ状態であっても、スプールと逆転防止機構の間にギヤが複数噛合しているため、スプールは回転方向に遊度があり、その遊度を利用して感知することが可能となっている。また、図６（ｄ）に示すコマセ振りを行うときは、しっかりとリール本体５を把持した状態で魚信を感知しながら実施することができる。さらに、魚の魚信を待つのであれば、図１２に示したように、サミングしながら操作部材３０の操作部３０ａに親指Ｔを当てておくことができるため、魚信があった場合は、直ちに巻き取り操作に移行することが可能となる。
【００４４】
実際に探り操作をする場合、魚のいる棚を集中的に探るように、例えば、図６（ｄ）から図６（ｆ）で示すように実行される。すなわち、図６（ｄ）に示すように、コマセカゴを振ってコマセを放出した後は、棚の上層域まで低速巻き取り駆動操作してエサをコマセ放出領域まで巻き上げる（図６（ｅ）参照）。このとき、仕掛けの巻き取り駆動は、図１２に示すように、サミングしたままの状態で親指Ｔの先端を操作部材３０の操作部３０ａに当て付け、操作部材３０をそのまま回転させることで行うことが可能である。或いは、図１３に示すように、サミング操作することなく、操作部材３０を下側から上側に向けて転がすようにして親指を移動させても良いし、図１４及び図１７に示すように、リール本体を掌全体で保持している状態で、上方から押し付けて操作部材３０を回転させて巻き上げ操作することも可能である。なお、図１２で示す状態で、シャクリ操作をしているときに魚信があれば、瞬時に図１３や図１４に示すように、操作部材３０を操作してフッキングすることも可能である。
【００４５】
そして、棚の上層域まで仕掛けを巻き上げた後、再び仕掛けを所定の棚（魚がいる下層域）まで落下させる（図６（ｆ）参照）。この操作は、操作部材３０に親指Ｔの先端側を当てながらそのまま後方にずらして、駆動モータ８の駆動をＯＦＦにし（図１５参照）、さらに、そのまま親指Ｔの根元側でクラッチＯＦＦ切換部材１８の操作部１８ａを押し下げ操作することで行うことが可能である（図１６参照）。このとき、スプール７はフリー回転状態となり、仕掛けは急速に落下するものの、図１６に示すように、そのまま親指Ｔの腹部でサミングすることができるため、その落下速度を容易に調整したり、仕掛けを所望の量だけ容易に落下させたり、緩急をつけた誘い落下することも可能となる。
【００４６】
そして、図６（ｄ）から（ｆ）に示すような一連の操作（探り操作）においては、仕掛けの巻き取り（駆動モータの巻き取り駆動）、駆動モータの停止、クラッチＯＦＦ、クラッチＯＮの各操作が繰り返されるが、このような各操作は、上記したように、サミングしている親指Ｔを、そのまま前方にずらして巻き取り操作／駆動停止操作が行え、かつ、後方にずらしてクラッチＯＦＦ、さらに、前方に伸ばしてクラッチＯＮできるため、上記のような一連の探り操作を、魚信を感知しながらスムーズかつ素早く行うことが可能となる。
【００４７】
なお、本実施形態では、上記したように、クラッチＯＮをする操作部１９ａと、モータ出力を調整する操作部３０ａは、共にスプール上方に配設されているため、指先での操作が容易に行え、操作性が良いと共に、図１９に示すように、親指Ｔを両方に当接した状態にもできるため、スムーズな操作が行える。また、操作部材３０、クラッチＯＮ切換部材１９、及びクラッチＯＦＦ切換部材１８は、それぞれの操作部がリール本体を側面視した際に前方から順に配置されているため、図９から図１４に至る一連の操作において、親指Ｔの動きが一方向（後方から前方）に統一されるため、指の動きが単純となって操作性が高くなる。特に、デリケートな操作が求められるもの（モータの出力調整操作）ほど、前方側の方が、指先が使えて好ましく、デリケート感よりもパワーが必要なクラッチＯＦＦ操作については、手元側に操作部１８ａがあるため、力が入り易く操作し易くなる。また、上下方向に関しても、一方向（下から上）となっているため、操作性が良好となる。
【００４８】
さらに、所定の棚位置にある状態において、図６（ｇ）に示すような釣竿を上下に振るシャクリ操作や駆動モータを巻き上げながらのシャクリ操作、或いは、誘い操作を行って仕掛けを上昇させる操作を行うこともあるが（図６（ｈ）参照）、このようなシャクリ操作（誘い操作）をしながらの駆動モータの巻き上げ駆動は、図１２から図１４で示すような態様で行うことが可能である。特に、巻き上げ駆動は、図１２に示すようなサミング操作をすることが容易であるため、魚信も感知し易く、魚信があった場合は、直ちに巻き取り操作に移行することが可能となる。さらに、図６（ｉ）で示すように、釣竿を高くシャクリ上げたときに魚信があっても、直ちに、図１２から図１４に示すように、操作部材３０に当接する親指Ｔを移動して、そのまま巻き取り操作することでフッキングすることが可能となる。そして、魚をフッキングした後は、そのまま親指Ｔを側方にシフトして制御ケース１５を押さ付けるようにしてリール本体を把持保持することもでき、安定した状態で釣竿を操作することが可能となる。
【００４９】
以上説明したように、本実施形態の構成によれば、クラッチＯＮ切換部材１９は、その操作部１９ａがスプールをサミングした状態で操作することが可能であるため、仕掛けを放出している状態（クラッチＯＦＦで仕掛けが落下している状態）において、クラッチをＯＮするまではサミング操作して釣糸の放出状態を調整することができ、狙った棚に意図したスピードで落下させ、かつ停止することが可能となる。これにより、外道にエサを食われたり、棚を修正する作業をする必要がなくなって機会ロスをなくすことができる。また、クラッチＯＮ状態で、サミング操作して魚信を感知しながら、操作部材３０の操作部３０ａに指を当接させておくことができるため、魚信があった場合、直ちに巻き取り操作が行えるようになる。特に、シャクリ操作で釣竿を上げた際、そのままの巻き取り操作することで合わせ操作が行えるようになる。
【００５０】
図２０から図２５は、本発明の第２の実施形態を示す図であり、図２０は、平面図、図２１は、図２０のＢ−Ｂ線に沿った断面図、図２２は、内部駆動機構を側方から見た概略図、図２３は、図２２を矢印方向から見た図であり、（ａ）は、クラッチＯＮ切換部材の概略図、（ｂ）は、クラッチＯＮ切換部材を押圧操作したときの状態を示す図、図２４は、クラッチＯＮ切換部材を押圧操作したときの状態を示す平面図、そして、図２５は、サミング操作しながら、クラッチＯＮ切換部材に指を当接し、クラッチＯＦＦ状態からクラッチＯＮ状態に切換える動作を示す図である。  
なお、以下に説明する実施形態では、クラッチＯＮ切換部材の構成が異なっており、それ以外については、上記した第１の実施形態と同様に構成されているため、第１の実施形態と同一の構成部材については同一の参照符号を付し、詳細な説明については省略する。
【００５１】
本実施形態のクラッチＯＮ切換部材５０は、右側板５Ｂ側に配設されており、機械式で押しボタン方式となっている。クラッチＯＮ切換部材５０は、右フレーム３ｂの内面からスプール軸方向に突出する操作部（押しボタン）５０ａを備えており、この操作部５０ａは、リール本体を側面視した際、スプール７のフランジ７ｂの径方向外側で、操作部材３０の操作部３０ａと、クラッチＯＦＦ切換部材１８の操作部１８ａとの間に配設されている（図２１参照）。すなわち、操作部５０ａは、図２４及び図２５に示すように、サミングしながらクラッチＯＮ操作が可能となるように、サミングしている親指Ｔをそのまま右側板側にずらすだけで押圧操作できる位置に配設されている。
【００５２】
図２３に示すように、前記操作部５０ａは、右フレーム３ｂに形成された貫通孔３ｄから突出しており、右フレームに対して片持ち状態で併設された係止板５１と係合状態となっている。すなわち、操作部５０ａは、右フレーム３ｂの裏面に設置された収容ケース５２に、バネ５３を介在させて、常時、突出する方向に付勢された状態で右フレーム３ｂに支持されている。操作部５０ａには、軸方向に突出するピン状の係合部５０ｂが一体形成されており、係合部５０ｂは、前記係止板５１に対して係合状態となっている。また、片持ち支持された前記係止板５１の自由端側には、外側に傾斜面５１ａを有する係止爪５１ｂが形成されており、この部分に、クラッチプレート１７ａの回動アーム１７ｄの突起１７ｆが係合するようになっている。この場合、回動アーム１７ｄは、クラッチ機構１７を構成するクラッチプレート１７ａと一体化されており、右フレーム３ｂとの間で配設された引張バネ２００ａによって、常時、クラッチＯＮ方向側に回動付勢されている（図２２参照）。なお、回動アーム１７ｄと引張バネ２００ａは、クラッチプレート１７ａをクラッチＯＮ位置とクラッチＯＦＦ位置に振り分け保持する機能を有する。
【００５３】
上記したクラッチＯＮ切換部材５０は、図２２で示す状態からクラッチＯＦＦ切換部材１８の操作部１８ａを押し下げてクラッチＯＦＦにすると、クラッチプレート１７ａが引張バネ２００ａの付勢力に抗して反時計方向に回動し、回動アーム１７ｄの突起１７ｆが傾斜面５１ａを経由して係止爪５１ｂと係合する（図２３（ａ）参照）。これにより、クラッチＯＦＦ状態が維持される。そして、この状態で、操作部５０ａを、バネ５３の付勢力に抗して押圧操作すると、図２３（ｂ）に示すように、係合部５０ｂが軸方向に入り込んで、前記係止板５１を撓ませ、回動アーム１７ｄの突起１７ｆと係止板５１の係止爪５１ａとの係合を解除する。これにより、回動アーム１７ｄ（クラッチプレート１７ａ）は、引張バネ２００ａの付勢力によって、図２２に示すクラッチＯＮ位置に復帰する。
【００５４】
このようなクラッチＯＮ切換部材５０によれば、上記した実施形態と同様な作用効果が得られると共に、図２４及び図２５に示すように、サミングしている指をそのまま右側板側にシフトするだけで、クラッチＯＮ操作ができ、図６に示した一連の操作をスムーズに行うことができる。
【００５５】
図２６から図３１は、本発明の第３の実施形態を示す図であり、図２６は、平面図、図２７は、後面図、図２８は、内部駆動機構を側方から見た概略図、図２９は、図２８に示したソレノイドの動作を示す図であり、（ａ）はクラッチＯＦＦの状態を示す図、（ｂ）は、クラッチＯＮ切換部材を押圧操作したときの状態を示す図、（ｃ）は、クラッチＯＮの状態を示す図、図３０は、指でクラッチＯＮ切換部材と操作部材を同時に触れた状態を示す平面図、そして、図３１は、サミング操作しながら、クラッチＯＮ切換部材に指を当接し、クラッチＯＦＦ状態からクラッチＯＮ状態に切換える動作を示す図である。
【００５６】
本実施形態のクラッチＯＮ切換部材６０は、制御ケース１５に配設されており、電気式で押しボタン方式となっている。クラッチＯＮ切換部材６０は、制御ケース１５の後端１５ａの左側板側に、後方に向けて突出する操作部（押しボタン）６０ａを備えており、この操作部６０ａは、操作部材３０の操作部３０ａとの間でスムーズな移行操作（特に、暗い中でのスムーズな移行操作）が可能となるように、図３０に示すように、スプールの上方で、操作部３０ａと同時に接触できるように配設されている。また、操作部６０ａは、図３１に示すように、サミングしながらクラッチＯＮ操作が可能となるように、サミングしている親指Ｔをそのまま上方側にずらすだけで押圧操作できる位置に配設されている。
【００５７】
前記操作部６０ａは、ソレノイド６１のスイッチとなっており、押圧するとソレノイド６１のプランジャ６２が突出するようになっている。クラッチ機構１７を構成するクラッチプレート１７ａには、回動アーム１７ｈが一体形成されており、この回動アーム１７ｈは、右フレーム３ｂとの間で配設された振り分け保持バネ２００によって、クラッチプレートと共にクラッチＯＮ位置とクラッチＯＦＦ位置に振り分け保持されている。
【００５８】
前記ソレノイド６１は、プッシュ型として構成されており、操作部６０ａを押圧操作するとプランジャ６２が突出し、クラッチＯＦＦ位置に回動したクラッチプレート１７ａの回動アーム１７ｈを押圧するようになっている（図２９（ａ）（ｂ）参照）。すなわち、上記したクラッチＯＮ切換部材６０は、図２８で示す状態からクラッチＯＦＦ切換部材１８の操作部１８ａを押し下げてクラッチＯＦＦにすると、クラッチプレート１７ａが振り分け保持バネ２００のデッドポイントを超えて、図２９（ａ）で示すクラッチＯＦＦ位置に振り分け保持され、ソレノイド６１のプランジャ６２に係合可能な位置に保持される。そして、この状態で、操作部６０ａを押圧操作して通電させると、図２９（ｂ）に示すように、プランジャ６２が回動アーム１７ｈを押圧し、クラッチプレート１７ａをクラッチＯＮ位置に向けて回動させ、振り分け保持バネ２００のデッドポイントを超えると、図２９（ｃ）に示すように、クラッチＯＮ位置に復帰する。
【００５９】
このようなクラッチＯＮ切換部材６０によれば、上記した実施形態と同様な作用効果が得られると共に、操作部材３０の操作部３０ａとの同時接触を可能にすることができるため、両部材の間でスムーズな移行操作が行える。
【００６０】
以上、本発明の実施形態について説明したが、本発明は、クラッチＯＮ切換部材が、スプールをサミングしながら操作できる位置に配設されていれば良く、クラッチＯＮするための構成については、上述した実施形態で説明した方式以外にも適宜変形することが可能である。例えば、機械式の場合、クラッチＯＦＦ切換部材とギヤトレイン等の機械的要素により、連動する構成であっても良い。また、電気式の場合、駆動モータ８を利用した公知の方法を利用して、クラッチＯＮさせるような構成であっても良い。また、クラッチＯＮ切換部材の操作部の形状についても適宜、変形することが可能である。さらに、上述した実施形態では、手持ち保持される小型の電動リールを例示したが、釣竿を両手で手持ち保持する中型以上の電動リールにも適用することが可能である。
【符号の説明】
【００６１】
１  魚釣用電動リール
５  リール本体
５Ａ，５Ｂ  左右側板
６  手動ハンドル
７  スプール
７ａ  スプール軸
７ｂ  フランジ
８  駆動モータ
１５  制御ケース
１７  クラッチ機構
１７ａ  クラッチプレート
１８  クラッチＯＦＦ切換部材
１８ａ  操作部
１９，５０，６０  クラッチＯＮ切換部材
１９ａ，５０ａ，６０ａ  操作部
３０  操作部材
３０ａ  操作部
【図１】
2013013370.tif 000003
【図２】
2013013370.tif 000004
【図３】
2013013370.tif 000005
【図４】
2013013370.tif 000006
【図５】
2013013370.tif 000007
【図６】
2013013370.tif 000008
【図７】
2013013370.tif 000009
【図８】
2013013370.tif 000010
【図９】
2013013370.tif 000011
【図１０】
2013013370.tif 000012
【図１１】
2013013370.tif 000013
【図１２】
2013013370.tif 000014
【図１３】
2013013370.tif 000015
【図１４】
2013013370.tif 000016
【図１５】
2013013370.tif 000017
【図１６】
2013013370.tif 000018
【図１７】
2013013370.tif 000019
【図１８】
2013013370.tif 000020
【図１９】
2013013370.tif 000021
【図２０】
2013013370.tif 000022
【図２１】
2013013370.tif 000023
【図２２】
2013013370.tif 000024
【図２３】
2013013370.tif 000025
【図２４】
2013013370.tif 000026
【図２５】
2013013370.tif 000027
【図２６】
2013013370.tif 000028
【図２７】
2013013370.tif 000029
【図２８】
2013013370.tif 000030
【図２９】
2013013370.tif 000031
【図３０】
2013013370.tif 000032
【図３１】
2013013370.tif 000033